(57)【要約】【課題】簡素な構造で薄型化を図りつつ、充分な音量を発生し得る音響発生装置を提供する。【解決手段】音響発生装置１００は、電極１１１，電極１１２が対向して配置された電極部１１０と、電極間に封入され、電界が与えられることによって電極に向けて移動する帯電性媒体１５０と、電極の少なくとも何れかと接触するように配置される振動パネル１２１，１２２とを備える。帯電性媒体１５０は、電極を介して電界が与えられることによって電極に衝突する。振動パネル１２１，１２２は、帯電性媒体１５０が電極に衝突することによって振動し、音響を発生する。【選択図】図１
2011223373.tif 000002
【特許請求の範囲】
【請求項１】
電極が対向して配置された電極部と、
前記電極間に封入され、電界が与えられることによって前記電極に向けて移動する帯電性媒体と、
前記電極の少なくとも何れかと接触するように配置される振動部と
を備え、
前記帯電性媒体は、前記電極を介して電界が与えられることによって前記電極または前記振動部に衝突し、
前記振動部は、前記帯電性媒体が前記電極または前記振動部に衝突することによって振動し、音響を発生する音響発生装置。
【請求項２】
前記電極間に形成された空間を区画する区画部を備え、
前記区画部は、前記空間を一または複数の領域に区画し、
前記帯電性媒体は、それぞれの前記領域に封入される請求項１に記載の音響発生装置。
【請求項３】
前記振動部は、対向して配置された前記電極間の外側に設けられる請求項１または２に記載の音響発生装置。
【請求項４】
前記帯電性媒体は、少なくとも一種類の帯電特性を有する粒子群である請求項１乃至３の何れか一項に記載の音響発生装置。
【発明の詳細な説明】
【技術分野】
【０００１】
本発明は、電気的信号を変換して音響を発生させる音響発生装置に関する。
【背景技術】
【０００２】
従来、電気的信号を変換して音響を発生させる音響発生装置として、様々な種類のラウドスピーカーが広く用いられている。このようなラウドスピーカーの一種である静電型（コンデンサ型）スピーカーにおいて、電極とその駆動回路とを一体化して薄型化を図った構造が知られている（例えば、特許文献１）。
【先行技術文献】
【特許文献】
【０００３】
【特許文献１】特開２００９−１７３３７号公報（第４−５頁、第２図）
【発明の概要】
【発明が解決しようとする課題】
【０００４】
しかしながら、上述した従来の静電型スピーカーには、次のような問題があった。すなわち、静電型スピーカーは、電極間において発生する吸引力によって電極を振動させて音響を発生させる構造であるため、音量が充分でない問題があった。また、上述した従来の静電型スピーカーでは、多数の薄膜トランジスタ（ＴＦＴ）が用いられるため、構造が複雑になる問題もあった。
【０００５】
そこで、本発明は、このような状況に鑑みてなされたものであり、簡素な構造で薄型化を図りつつ、充分な音量を発生し得る音響発生装置の提供を目的とする。
【課題を解決するための手段】
【０００６】
上述した課題を解決するため、本発明の特徴は、電極（電極１１１，電極１１２）が対向して配置された電極部（電極部１１０）と、前記電極間に封入され、電界が与えられることによって前記電極に向けて移動する帯電性媒体（帯電性媒体１５０）と、前記電極の少なくとも何れかと接触するように配置される振動部（振動パネル１２１，１２２）とを備え、前記帯電性媒体は、前記電極を介して電界が与えられることによって前記電極または前記振動部に衝突し、前記振動部は、前記帯電性媒体が前記電極または前記振動部に衝突することによって振動し、音響を発生する音響発生装置（音響発生装置１００）であることを要旨とする。
【０００７】
上述した本発明の特徴において、前記電極間に形成された空間を区画する区画部（区画部１３０）を備え、前記区画部は、前記空間を一または複数の領域（例えば、セル１３１）に区画し、前記帯電性媒体は、それぞれの前記領域に封入されることが好ましい。
【０００８】
上述した本発明の特徴において、前記振動部は、対向して配置された前記電極間の外側に設けられることが好ましい。
【０００９】
上述した本発明の特徴において、前記帯電性媒体は、少なくとも一種類の帯電特性を有する粒子群であることが好ましい。
【発明の効果】
【００１０】
本発明の特徴によれば、簡素な構造で薄型化を図りつつ、充分な音量を発生し得る音響発生装置を提供することができる。
【図面の簡単な説明】
【００１１】
【図１】本発明の実施形態に係る音響発生装置１００を含む音響発生システム１の概略構成図である。
【図２】本発明の実施形態に係る音響発生システム１の機能ブロック構成図である。
【図３】本発明の実施形態に係る音響発生装置１００の区画部１３０の概略斜視図である。
【図４】本発明の変更例に係る区画部１３０Ａの概略斜視図である。
【図５】本発明の変更例に係る区画部１３０Ｂの概略斜視図である。
【発明を実施するための形態】
【００１２】
次に、本発明に係る音響発生装置の実施形態について、図面を参照しながら説明する。具体的には、（１）音響発生装置を含む音響発生システムの概略構成、（２）音響発生システム１の機能ブロック構成、（３）音響発生装置の詳細構成、（４）作用・効果、及び（５）その他の実施形態について説明する。
【００１３】
なお、以下の図面の記載において、同一または類似の部分には、同一または類似の符号を付している。ただし、図面は模式的なものであり、各寸法の比率などは現実のものとは異なることに留意すべきである。
【００１４】
したがって、具体的な寸法などは以下の説明を参酌して判断すべきである。また、図面相互間においても互いの寸法の関係や比率が異なる部分が含まれ得る。
【００１５】
（１）音響発生装置を含む音響発生システムの概略構成
図１は、本実施形態に係る音響発生装置１００を含む音響発生システム１の概略構成図である。図１に示すように、音響発生システム１は、音源２０、アンプ３０及び音響発生装置１００によって構成される。
【００１６】
音源２０は、音声や音楽などの音響信号が変換された電気的信号（アナログまたはディジタル）を出力する。音源２０としては、マイクロフォン、ＭＰ３プレーヤなどの音楽プレーヤ、テレビ、パーソナルコンピュータ及びゲーム機などを用いることができる。
【００１７】
アンプ３０は、音源２０から出力された電気的信号を増幅する。アンプ３０は、ディジタル信号処理（ＤＳＰ）による信号補正機能などを搭載してもよい。特に、後述する帯電性媒体１５０が閾値電圧特性を有する場合、微小電圧に帯電性媒体１５０が反応しなくなることを防ぐため、電気的信号の補正が必要となり得る。
【００１８】
アンプ３０は、アナログ波形またはパルス波形を出力できることが好ましい。パルス波形への変換には、ΔΣ変調などを用いることができる。パルス波形を出力することによって、閾値電圧特性を有する帯電性媒体１５０を用いた場合でも、効果的に音響を発生させることができる。
【００１９】
音響発生装置１００は、アンプ３０と接続される。音響発生装置１００は、電極部１１０、振動パネル１２１，１２２、区画部１３０、セレクタ１４０（図１おいて不図示、図２参照）、及び帯電性媒体１５０を備える。
【００２０】
電極部１１０は、電極１１１と電極１１２とによって構成される。電極１１１と電極１１２とは、対向して配置される。電極１１１及び電極１１２を構成する導電性材料としては、（ｉ）酸化インジウム錫（ＩＴＯ）、酸化インジウム、亜鉛ドープ酸化インジウム（ＩＺＯ）、アルミニウムドープ酸化亜鉛（ＡＺＯ）、アンチモン錫酸化物(ＡＴＯ)、導電性酸化錫、導電性酸化亜鉛などの導電金属酸化物類、（ｉｉ）ポリアニリン、ポリビロール、ポリチオフェン（ＰＥＤＯＴ：ＰＳＳなど）などの導電性高分子類、（ｉｉｉ）金、銀、銅、アルミニウム、ニッケル、クロムなどの金属、（ｉｖ）これらの金属を主成分とする合金が挙げられる。これらの導電性材料で形成された導電膜は、透明であってもよいし、透明でなくてもよい。なお、電極１１１及び電極１１２は、表面に絶縁膜のようなコート膜が施されていてもよい。
【００２１】
電極１１１及び電極１１２の形成方法としては、上述した導電性材料をスパッタリング法、真空蒸着法、ＣＶＤ（化学蒸着）法、塗布法などで薄膜状に形成する方法や、金属箔（例えば、圧延銀箔）をラミネートする方法、導電剤を溶媒や合成樹脂バインダーに混合して塗布する方法を用いることができる。なお、電極１１１及び電極１１２の厚みは、導電性が確保できればよく、０．０１μｍ〜１０μｍが好ましく、０．０５μｍ〜５μｍがより好ましい。なお、ＩＴＯなどの金属酸化物系の導電性材料は、金属材料に比べて可とう性が小さいため、これら金属酸化物系の導電性材料を用いて電極１１１及び電極１１２を構成する場合には、断線防止のため、可とう性に優れる銅、アルミニウム、ニッケルや、これらの合金などの金属電極を含ませた複合構造とすることが好ましい。ライン状の電極であれば、金属ライン電極を、金属酸化物系ライン状電極に並接するように設けたり、金属酸化物系ライン状電極に埋設したりする構造とすることができる。
【００２２】
振動パネル１２１は、電極１１１と接触するように配置される。振動パネル１２１は、対向して配置された電極１１１と電極１１２との間の外側、具体的には、電極１１１の外側に設けられる。同様に、振動パネル１２２は、電極１１２の外側に設けられる。
【００２３】
振動パネル１２１及び振動パネル１２２としては、ポリエチレンテレフタレート、ポリエチレンナフタレート、ポリエーテルサルフォン、ポリエチレン、ポリカーボネート、ポリイミド、アクリルなどの高分子材料や、ガラス、石英、硬質プラスチック、金属などが挙げられる。振動パネル１２１及び振動パネル１２２の厚みは、２μｍ〜５，０００μｍが好ましい。
【００２４】
振動パネル１２１及び振動パネル１２２は、帯電性媒体１５０が衝突することによって振動し、音響を発生する。すなわち、帯電性媒体１５０は、電極１１１及び電極１１２に印加される電圧の極性によって、電極１１１または電極１１２に向けて移動し、電極１１１または電極１１２に衝突する。電極１１１及び電極１１２は、音源２０から出力された電気的信号に基づいて電圧が印加されるため、帯電性媒体１５０は、この電圧変化に応じて、移動と電極への衝突とを繰り返す。この結果、振動パネル１２１の表面１２１ａ及び振動パネル１２２の表面１２２ａが振動し、音源２０に応じた音響を発生する。
【００２５】
区画部１３０は、電極１１１と電極１１２との間に形成された空間を区画する。具体的には、区画部１３０は、当該空間を一または複数の領域に区画する。帯電性媒体１５０は、区画部１３０によって区画された領域に封入される。また、区画部１３０内の当該空間は、帯電性媒体１５０と気体（空気）によって満たされる。なお、当該空間は、真空としてもよい。
【００２６】
セレクタ１４０は、音響発生装置１００の電極部１１０を構成する複数の電極のうち、アンプ３０と接続される電極を選択する。セレクタ１４０によってアンプ３０と所望の電極が電気的に接続され、アンプ３０からの出力信号が当該電極に供給される。
【００２７】
帯電性媒体１５０は、電極１１１と電極１１２との間、具体的には区画部１３０によって区画された空間に封入される。帯電性媒体１５０は、電界が与えられることによって電極１１１または電極１１２に向けて移動する。本実施形態では、帯電性媒体１５０は、少なくとも一種類の帯電特性を有する粒子群である。帯電性媒体１５０の詳細については、後述する。
【００２８】
（２）音響発生システム１の機能ブロック構成
図２は、音響発生システム１の機能ブロック構成図である。なお、図２では、振動パネル１２１及び振動パネル１２２、区画部１３０及び帯電性媒体１５０は省略されている。
【００２９】
図２に示すように、音響発生装置１００は、電極１１１を構成する複数の板状電極部１１１ａと、電極１１２を構成する複数の板状電極部１１２ａとを有する。
【００３０】
セレクタ１４０は、複数の板状電極部１１１ａ及び複数の板状電極部１１２ａにそれぞれ接続される。セレクタ１４０は、板状電極部１１１ａと板状電極部１１２ａとが重なった領域（図２では、縦５×横５）毎に、板状電極部１１１ａ及び板状電極部１１２ａに電圧を印加することができる。なお、セレクタ１４０を用いた具体的な帯電性媒体１５０の駆動方法（パッシブ駆動）としては、公知の方法（例えば、特開２００３−３０７７５５号公報参照）を用いることができる。
【００３１】
図３は、音響発生装置１００の区画部１３０の概略斜視図である。図３に示すように、区画部１３０は、複数のセル１３１を有する。区画部１３０は、上述したように、電極１１１と電極１１２との間に形成され、セル１３１のそれぞれには、帯電性媒体１５０が封入される。ここでは、全てのセル１３１に帯電性媒体１５０を封入した例を示しているが、帯電性媒体１５０が封入されていないセルを設けてもよい。
【００３２】
セル１３１は、区画部１３０の平面視において、略正方形であり、区画部１３０の縦方向及び横方向に連続して形成される。区画部１３０の高さＨ、つまり、電極１１１と電極１１２との距離は、１０〜５００μｍであることが好ましい。セル１３１は、縦方向及び横方向に延在する直線状の隔壁１３２によって形成される。隔壁１３２の形成材料としては、ドライフィルムレジスト材が好適に用いられる。例えば、アルフォＮＩＴ２（ニチゴーモートン社製）やＰＤＦ３００（新日鐵化学社製）を用いることができる。
【００３３】
帯電性媒体１５０は、帯電性媒体１５１と帯電性媒体１５２とを含む。帯電性媒体１５１は、黒色の正帯電性粒子である。帯電性媒体１５２は、白色の負帯電性粒子である。帯電性媒体１５１及び帯電性媒体１５２は、それぞれのセル１３１（領域）に封入される。
【００３４】
帯電性媒体１５１は、次のように製造することができる。（ｉ）メチルメタクリレートモノマー（関東化学試薬）６０重量部、及び１分子中に重合反応基を複数持つ多官能性モノマーとしてエチレングリコールジメタクリレート（和光純薬試薬）４０重量部（約２５ｍｏｌ％）に、正帯電の荷電制御剤としてニグロシン化合物（ポントロンＮｏ７：オリエント化学製）３重量部、及び黒色顔料として、カーボンブラック（スペシャルブラック：デグッサ製）５重量部をサンドミルにより分散させ、（アクリル系及びメタクリル系樹脂）−炭化水素系樹脂ブロックコポリマー（モディバーＦ６００：日本油脂製）５重量部を溶解させる。（ｉｉ）２重量部のラウリルパーオキサイド（パーロイルL：日本油脂製）を溶解させた液を、界面活性剤としてポリオキシエチレンアルキルエーテル硫酸ナトリウム（ラテムルＥ−１１８Ｂ：花王製）を０．５％添加した精製水に（ｉ）の生成物を懸濁、重合させ、濾過、乾燥させる。（ｉｉｉ）分級機（ＭＤＳ−２：日本ニューマチック工業性）を用いて（ii）の生成物を平均粒子径９．２μｍの正帯電性粒子を得る。
【００３５】
また、帯電性媒体１５２は、次のように製造することができる。（ｉ）ポリメチルペンテンポリマー（ＴＰＸ−Ｒ１８：三井化学社製）１００重量部と、着色剤として二酸化チタン（タイペークＣＲ−９０：石原産業社製）１００重量部と、負帯電の荷電制御剤としてフェノール系縮合物（ポントロンＥ８９：オリエント化学製）５重量部とを、２軸混練機により溶融混練する。（ｉｉ）ジェットミル（ラボジェットミルＩＤＳ−ＬＪ型：日本ニューマチック工業製）で（ｉ）の生成物を細かく粉砕し、分級機（ＭＤＳ−２：日本ニューマチック工業製）を用いて分級する。（ｉｉｉ）溶融球状化装置（ＭＲ−１０：日本ニューマチック工業製）を用いて（ｉｉ）の生成物を溶融球状化し、平均粒子径が９．５μｍの負帯電性粒子を得た。
【００３６】
（３）音響発生装置の詳細構成
次に、音響発生装置１００の詳細構成について説明する。具体的には、（３．１）電極部１１０、（３．２）振動パネル１２１，１２２、（３．３）区画部１３０及び（３．４）帯電性媒体１５０の詳細構成について変更例を含めて説明する。
【００３７】
（３．１）電極部１１０
電極部１１０を構成する電極１１１及び電極１１２は、上述した導電性材料を用いることによって、一定の透明性を有するが、電極１１１及び電極１１２は、透明性を有していなくても構わない。なお、音響発生装置１００の構成は、帯電性媒体１５０を用いた画像表示装置（例えば、特開２００８−２６８６５０号公報参照）と概ね同様であるため、音響発生装置１００がこのような画像表示装置の機能を兼ねる場合には、電極１１１及び電極１１２の少なくとも一方は、一定の透明性を有する必要がある。
【００３８】
電極１１１と帯電性媒体１５０との間、電極１１２と帯電性媒体１５０との間に帯電性媒体１５０の移動を妨げる膜を形成してもよい。このような膜を配置すると、帯電性媒体１５０が膜に衝突した後、振動パネル１２１または振動パネル１２２に衝突するため、振動パネル１２１，１２２が発生する音響の音色が異なり得る。
【００３９】
電極部１１０は、振動パネル１２１，１２２の外側に設けてもよい。つまり、振動パネル１２１と振動パネル１２２とが一定の間隔を空けて対向して設けられ、電極１１１は振動パネル１２１の外側に設けられる。また、電極１１２は、振動パネル１２２の外側に設けられる。このような配置とすると、帯電性媒体１５０は、振動パネル１２１または振動パネル１２２に直接衝突し、振動パネル１２１，１２２が発生する音響の音色が異なり得る。
【００４０】
また、電極１１１及び電極１１２の硬さ（剛性）は、所望の音色に応じて変更してもよい。
【００４１】
（３．２）振動パネル１２１，１２２
振動パネル１２１，１２２の硬さ（剛性）も、所望の音色に応じて変更してもよい。例えば、振動パネル１２１，１２２に用いられる材料の硬さを調整して音響の周波数特性を改善したり、材料のロス特性を調整して音響の減衰特性を改善したりすることができる。
【００４２】
また、振動パネル１２１，１２２は、上述したように金属製としてもよく、この場合、電極１１１及び電極１１２と兼用してもよい。さらに、振動パネル１２１，１２２は、高剛性であって内部に多くの空隙が形成されていてもよい。
【００４３】
（３．３）区画部１３０
区画部１３０の高さＨは、上述したように、１０〜５００μｍであることが好ましいが、高さＨは、さらに大きくしてもよい。また、セル１３１のサイズは、より大きいサイズでも構わない。つまり、セル１３１を構成する隔壁１３２が設けられる間隔は、さらに広げても構わない。また、隔壁１３２としては、高弾性率の材料または低弾性率の材料を用いることができる。さらに、隔壁１３２と振動パネル１２１，１２２とは、少なくとも一部が接触していればよい。また、必ずしも隔壁１３２と振動パネル１２１（１２２）とが接触する部分すべてを接着しなくても構わない。
【００４４】
区画部１３０は、出力される音響のダイナミックレンジの拡大や音色のバリエーションを増やすることを目的として、隔壁１３２の高さや間隔が異なる複数のセルから構成されてもよい。さらに、区画部１３０を構成するセルの形状は、次のように変更してもよい。図４は、本発明の変更例に係る区画部１３０Ａの概略斜視図である。図４に示すように、区画部１３０Ａは、六角形のセル１３３が複数連なったハニカム状である。それぞれのセル１３３には、帯電性媒体１５１及び帯電性媒体１５２が封入される。なお、区画部１３０Ａが用いられる場合、区画部１３０Ａの外縁形状に合わせて、電極部１１０の形状や振動パネル１２１，１２２の形状を変更してもよい。この例においても、全てのセル１３３に、帯電性媒体１５１及び帯電性媒体１５２を封入する必要はなく、空きのセルや一方の帯電性媒体のみが封入されたセルが設けられていてもよい。
【００４５】
図５は、本発明の変更例に係る区画部１３０Ｂの概略斜視図である。図５に示すように、区画部１３０Ｂは完全なセル構造を有さずに不完全なセル構造であり、セルに加えて複数のポスト１３５が設けられている。不完全なセル構造を形成してもよいが、ポスト１３５のみを設けた構造としてもよい。
【００４６】
区画部１３０Ｂには、帯電性媒体１５１及び帯電性媒体１５２が封入される。ポスト１３５は、区画部１３０Ｂの底面から略垂直方向に向かって延びる柱状の部分である。ポスト１３５は、一定の間隔を空けつつ、縦方向及び横方向に沿って複数設けられる。ポスト１３５の配置は、規則性を有していてもよいし、ランダムでもよい。
【００４７】
このように、当該空間をセルに区画するための隔壁（セル形成用隔壁）の配置は格子状、ハニカム状、網目状などにすることができる。また、セルの平面視における形状（横断面形状）は、四角形、三角形、六角形などの多角形や、円形、楕円形、レーストラック形などの何れでもよいし、複数の形状を組み合わせてもよい。帯電性媒体１５０を移動し易くする観点からは曲線を有する形状が好ましい。このような点を考慮すると、角丸付きの四角形や角丸付きの六角形が好ましい。
【００４８】
（３．４）帯電性媒体１５０
帯電性媒体１５０の重量は、所望の音色に応じて重くしたり、軽くしたりしてもよい。上述した帯電性媒体１５０は球状（粒子）であったが、帯電性媒体１５０は、楕球状や円盤状であってもよい。或いは、帯電性媒体１５０は、球状ではなく花弁状や細長い繊維状であってもよい。
【００４９】
また、パルス電圧の場合には電圧のパルス幅やパルス高さ、アナログ電圧の場合には周期や波高を変更することによって、帯電性媒体１５０が電極１１１，１１２または振動パネル１２１，１２２に衝突する頻度や強さが変化する。この結果、音程や音量を調整し得る。
【００５０】
（４）作用・効果
音響発生装置１００によれば、帯電性媒体１５０は、電極部１１０を介して電界が与えられることによって電極部１１０に衝突する。振動パネル１２１，１２２は、帯電性媒体１５０が電極部１１０に衝突することによって振動し、音響を発生する。このため、従来の静電型スピーカーと比較して、帯電性媒体１５０の電極部１１０への衝突による充分な音量を得ることが容易である。また、音響発生装置１００では、薄膜トランジスタ（ＴＦＴ）などは用いられず、構成が簡素である。すなわち、音響発生装置１００によれば、簡素な構造で薄型化を図りつつ、充分な音量を発生し得る。
【００５１】
上述した実施形態では、区画部１３０は、電極１１１と電極１１２との間に形成された空間を複数のセル１３１に区画する。また、帯電性媒体１５０は、それぞれのセル１３１に封入される。このため、それぞれのセル１３１毎に帯電性媒体１５０の挙動を制御でき、音響発生装置１００は、複数のセル１３１による纏まった領域毎に異なる音響（例えば、左右の領域に区分したステレオ信号のＬチャネルとＲチャネル）を発生できる。
【００５２】
上述した実施形態では、振動パネル１２１，１２２は、対向して配置された電極１１１，電極１１２間の外側に設けられる。振動パネル１２１，１２２が電極１１１，電極１１２の外側に設けられる場合、振動パネル１２１，１２２と比較して損傷し易い電極１１１，電極１１２が露出せずに都合がよい。
【００５３】
上述した実施形態では、帯電性媒体１５０は、帯電特性を有する球状の粒子群によって構成される。このため、花弁状や繊維状の帯電性媒体と比較して、区画部１３０内の移動がスムーズであり、音量の増大や音程の制御において有利である。
【００５４】
（５）その他の実施形態
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなる。
【００５５】
例えば、上述した実施形態では、２種類（正・負）の帯電性媒体（帯電性媒体１５１及び帯電性媒体１５２）が用いられていたが、何れか一方の帯電性媒体のみを用いても構わない。
【００５６】
上述した実施形態では、複数のセル１３１を有する区画部１３０が用いられていたが、このような区画部１３０を必ずしも用いなくても構わない。例えば、セルやポストが一切形成されず、電極１１１と電極１１２との間に形成された空間を単一の領域に区画する区画部を用いても構わない。つまり、セルを形成することは必須ではないが、セルを形成しない場合でも、振動パネル１２１と振動パネル１２２との間の空間を確保する必要はあり、パネル間ギャップ確保用のスペーサーを設ける必要がある。スペーサーの形状としては、球状、柱状、ドット状、リブ状などとすることができる。
【００５７】
また、振動パネル１２１及び振動パネル１２２は、必ずしも平板状でなくてもよく、例えば、コーン型のスピーカーのような形状でも構わない。
【００５８】
このように、本発明は、ここでは記載していない様々な実施の形態などを含むことは勿論である。したがって、本発明の技術的範囲は、上述の説明から妥当な特許請求の範囲に係る発明特定事項によってのみ定められる。
【符号の説明】
【００５９】
１…音響発生システム、２０…音源、３０…アンプ、１００…音響発生装置、１１０…電極部、１１１，１１２…電極、１１１ａ，１１２ａ…板状電極部、１２１，１２２…振動パネル、１２１ａ，１２２ａ…表面、１３０，１３０Ａ，１３０Ｂ…区画部、１３１…セル、１３２…隔壁、１３３…セル、１３５…ポスト、１４０…セレクタ、１５０，１５１，１５２…帯電性媒体
【図１】
2011223373.tif 000003
【図２】
2011223373.tif 000004
【図３】
2011223373.tif 000005
【図４】
2011223373.tif 000006
【図５】
2011223373.tif 000007